(57)【特許請求の範囲】
【請求項１】
第１の面に操作部を有する第１の筐体と、
表示部を有する第２の筐体と、
前記第２の筐体の移動を案内するガイド機構と
を有し、
前記ガイド機構は、
一端が前記第２の筐体に固定され、前記第２の筐体が前記第１の筐体から離れていくスライド方向とは反対の方向で且つ前記スライド方向に対して下向きに傾斜した方向に前記第２の筐体を付勢するバネを含み、
前記第２の筐体を、前記第１の筐体の第１の面に重なる第１の位置から、前記第１の筐体の第１の面に重ならない第３の位置まで、前記第１の筐体の第１の面に平行に移動させてから、前記第３の位置で前記バネの付勢力により前記第２の筐体を傾斜させる電子機器。
【請求項２】
請求項１記載の電子機器であって、
前記ガイド機構は、
前記第２の筐体を前記第１の位置と前記第３の位置との間の第２の位置まで前記第１の筐体に対して平行に移動するように案内する第１のガイド機構と、
前記第２の筐体を前記第２の位置から前記第３の位置まで前記第１の筐体に対して平行に移動するよう案内し且つ前記第３の位置で前記バネの付勢力により前記第２の筐体を傾斜させる第２のガイド機構と
を含む電子機器。
【請求項３】
請求項２記載の電子機器であって、
前記第１のガイド機構は、
前記第１の筐体内に設けられた一対のレール部材と、
前記レール部材上をスライドする一対のスライド部材と
を含む電子機器。
【請求項４】
請求項３記載の電子機器であって、
前記第２のガイド機構は、前記スライド部材に設けられる電子機器。
【請求項５】
請求項４記載の電子機器であって、
前記第２のガイド機構は、前記第２の筐体を回動可能に支持する回動機構を有する電子機器。
【発明の詳細な説明】
【技術分野】
【０００１】
実施形態は、移動可能な表示部を有する電子機器に関する。
【背景技術】
【０００２】
近年、携帯電話機や携帯端末装置等の電子機器の多くは、本体となる第１の筐体と表示部を有する第２の筐体とを有する構成となっている。通常、表示部を有する第２の筐体は、本体となる第１の筐体に対して、移動（スライド）可能あるいは回動可能に取り付けられる。例えば、第２の筐体を第１の筐体に対してスライドさせることで、第１の筐体の入力デバイスを露出させることができる。これにより、使用者は、第２の筐体の表示部の画面を見ながら入力デバイスを操作し、電子機器に所望の動作を行なわせることができる。
【先行技術文献】
【特許文献】
【０００３】
【特許文献１】特開２００７−７４４１１号公報
【特許文献２】特開２０１０−８７９９１号公報
【発明の概要】
【発明が解決しようとする課題】
【０００４】
第１の筐体に対して第２の筐体を最大にスライドさせた場合において、第２の筐体の一部が第１の筐体上に載った状態で、第２の筐体を傾斜させると、第１の筐体の上面において第２の筐体が載っている部分には、入力デバイス等を設けておくことができない。したがって、第１の筐体の上面で入力デバイス等を設ける領域を大きくとることができず、第１の筐体の上面の利用可能な領域が狭くなってしまう。
【０００５】
そこで、第１の筐体の上面全体が露出するような位置において第２の筐体を傾斜させて電子機器を使用状態とすることが望ましい。
【課題を解決するための手段】
【０００６】
一実施態様によれば、第１の面に操作部を有する第１の筐体と、表示部を有する第２の筐体と、前記第２の筐体の移動を案内するガイド機構とを有し、前記ガイド機構は、一端が前記第２の筐体に固定され、前記第２の筐体が前記第１の筐体から離れていくスライド方向とは反対の方向で且つ前記スライド方向に対して下向きに傾斜した方向に前記第２の筐体を付勢するバネを含み、前記第２の筐体を、前記第１の筐体の第１の面に重なる第１の位置から、前記第１の筐体の第１の面に重ならない第３の位置まで、前記第１の筐体の第１の面に平行に移動させてから、前記第３の位置で前記バネの付勢力により前記第２の筐体を傾斜させる電子機器が提供される。
【発明の効果】
【０００７】
上述の手段によれば、第２の筐体を第１の筐体の第１の面に重ならない位置まで移動した後で第２の筐体を傾斜させるため、傾斜した第２の筐体で第１の筐体の第１の面の一部が覆われることは無い。このため、第１の筐体の第１の面全体を有効に利用することができる。
【図面の簡単な説明】
【０００８】
【図１】一実施形態による電子機器の一例としての携帯情報機器の斜視図である。
【図２】第２の筐体がスライドしている途中の状態を示す斜視図である。
【図３】第２の筐体が完全にスライドした状態を示す斜視図である。
【図４】第２の筐体が完全にスライドしてから傾斜した状態を示す斜視図である。
【図５】携帯情報機器内部に組み込まれたスライドガイド機構及び回動機構の斜視図である。
【図６】図５に示す状態のスライドガイド機構及び回動機構の側面図であり、第１の筐体及び第２の筐体の内部を透視した図である
【図７】第２の筐体のスライドの途中におけるスライドガイド機構及び回動機構の斜視図である。
【図８】図７に示す状態のスライドガイド機構及び回動機構の側面図であり、第１の筐体及び第２の筐体の内部を透視した図である。
【図９】第２の筐体が完全にスライドしたときのスライドガイド機構及び回動機構の斜視図である。
【図１０】図９に示す状態のスライドガイド機構及び回動機構の側面図であり、第１の筐体及び第２の筐体の内部を透視した図である。
【図１１】第２の筐体が完全にスライドしてから傾斜したときのスライドガイド機構及び回動機構の斜視図である。
【図１２】図１１に示す状態のスライドガイド機構及び回動機構の側面図であり、第１の筐体及び第２の筐体の内部を透視した図である。
【発明を実施するための形態】
【０００９】
次に、実施形態について図面を参照しながら説明する。
【００１０】
図１は一実施形態による電子機器の一例としての携帯情報機器の斜視図である。本実施形態による電子機器は携帯情報機器に限られず、例えば、携帯電話機、小型のパーソナルコンピュータやデータ通信端末機器等であってもよい。
【００１１】
図１に示す携帯情報機器１は、第１の表示部１０ａ（図２乃至４参照）が設けられた第１の筐体１０と第２の表示部２０ａが設けられた第２の筐体２０とを含む。図１には、第２の筐体２０が第１の筐体１０の上に配置されて収容されたた状態、すなわち最もコンパクトになった状態が示されている。この状態において、第２の筐体２０の第２の表示部２０ａは上面となって露出している。第１の表示部１０ａと第２の表示部２０ａとは、例えばタッチパネル付きの液晶表示装置であり、画面表示が行えるとともに、入力操作を行なうことができる。特に、第１の表示部１０ａは入力操作部として機能する。ただし、入力操作部は第１の表示部１０ａのようなタッチパネル付きの液晶表示装置でなくてもよく、例えばテンキー等の入力装置であってもよい。
【００１２】
携帯情報機器１は、図１に示す状態から第２の筐体２０を矢印Ａ方向に押すことで、第１の筐体１０に対してスライドさせることができる。スライドガイド機構については後述する。図２は第２の筐体２０がスライドしている途中の状態を示す斜視図である。第２の筐体２０は、第１の筐体１０の上面に対して平行にスライドする。第２の筐体２０がスライドしていくと、第１の筐体１０の上面の第１の表示部１０ａが現れてくる。
【００１３】
図３は第２の筐体２０が完全にスライドした状態を示す斜視図である。第２の筐体２０は、第２の筐体２０全体が第１の筐体１０の上面（第１の面）に重ならない位置までスライドし、その側面２０ｂが第１の筐体１０の上面の縁を僅かに越えた位置までスライドする。この状態では、第２の筐体２０の上面の表示部２０ａは、第１の筐体１０の上面の第１の表示部１０ａより、第２の筐体の厚み分だけ上に位置しており、第１の表示部１０ａと第２の表示部２０ａとの間に段差が生じている。
【００１４】
本実施形態による携帯情報機器１には、第２の筐体２０が図３に示す位置までスライドすると第２の筐体２０を自動的に傾斜させるための回動機構が設けられている。回動機構については後述する。図４は第２の筐体２０が完全にスライドしてから傾斜した状態を示す斜視図である。第２の筐体２０は、その側面２０ｂが落ち込み、側面２０ｂの反対側が僅かに持ち上がった状態となって傾斜する。また、第２の筐体２０の側面２０ｂが落ち込むことで、第２の筐体２０の上面の縁と第１の筐体１０の上面の縁とが同じ高さとなり、段差が無くなる。
【００１５】
以上のように、本実施形態による携帯情報機器１では、第２の筐体２０を図４に示す状態（操作状態）とすると、第２の筐体２０全体は、第１の筐体の上面の外周の外側まで移動することとなる。このため、第２の筐体２０により覆われる部分が無く、第１の筐体１０の上面全体を露出させることができ、第１の筐体１０の上面を効率的に使用することができる。
【００１６】
また、本実施形態による携帯情報機器１では、第２の表示面２０ａが傾斜することにより、使用者にとって第２の表示面２０ａを見やすくすることができる。さらに、第２の筐体２０の上面の縁と第１の筐体１０の上面の縁とが同じ高さとなり、段差が無くなることにより、例えば第１の表示部１０ａ上でタッチ操作していたタッチペンあるいは指先を滑らかに第２の表示部２０ａ上に運ぶことができ、操作性が向上する。
【００１７】
次に、スライドガイド機構及び回動機構について、図５乃至図１２を参照しながら説明する。
【００１８】
図５は携帯情報機器１内部に組み込まれたスライドガイド機構及び回動機構の斜視図である。図５において、第１の筐体と第２の筐体の輪郭が二点鎖線で描かれている。図６は図５に示す状態のスライドガイド機構及び回動機構の側面図である。図６は第１の筐体及び第２の筐体の内部を透視した図であり、スライドガイド機構及び回動機構以外の構成部品は省略されている。
【００１９】
図７は第２の筐体のスライドの途中におけるスライドガイド機構及び回動機構の斜視図である。図７において、第１の筐体と第２の筐体の輪郭が二点鎖線で描かれている。図８は図７に示す状態のスライドガイド機構及び回動機構の側面図である。図８は第１の筐体及び第２の筐体の内部を透視した図であり、スライドガイド機構及び回動機構以外の構成部品は省略されている。
【００２０】
図９は第２の筐体が完全にスライドしたときのスライドガイド機構及び回動機構の斜視図である。図９において、第１の筐体と第２の筐体の輪郭が二点鎖線で描かれている。図１０は図９に示す状態のスライドガイド機構及び回動機構の側面図である。図１０は第１の筐体及び第２の筐体の内部を透視した図であり、スライドガイド機構及び回動機構以外の構成部品は省略されている。
【００２１】
図１１は第２の筐体が完全にスライドしてから傾斜したときのスライドガイド機構及び回動機構の斜視図である。図１１において、第１の筐体と第２の筐体の輪郭が二点鎖線で描かれている。図１２は図１１に示す状態のスライドガイド機構及び回動機構の側面図である。図１２は第１の筐体及び第２の筐体の内部を透視した図であり、スライドガイド機構及び回動機構以外の構成部品は省略されている。
【００２２】
本実施形態では、スライドガイド機構は第１のスライドガイド機構と第２のスライドガイド機構を有している。第２のスライドガイド機構は回動機構を含んでいる。
【００２３】
まず、第１のスライドガイド機構について説明する。第１のスライドガイド機構は、第１の筐体１０内に設けられた一対のスライドガイド（レール部材）１２と、スライドガイド１２上をスライド可能な一対のスライドブロック１４とを有する。スライドブロック１４の各々には、スライドブロック１４を付勢する付勢部材としてスライドアシスト部材１６が接続されている。なお、図５，７，９，１１において、スライドガイド機構は同じ機構が左右に対称に設けられておいるが、その一方にのみ符号を付して説明する。
【００２４】
スライドガイド１２は、例えば断面が台形状の細長いレール部材であり、第１の筐体１０内部の左右側にそれぞれ配置されている。スライドブロック１４は、スライドガイド１２に係合するブロック部１４ａと、ブロック部１４ａから延在するアーム部１４ｂと、アーム部１４ｂの先端に設けられたガイド部１４ｃとを有する。
【００２５】
スライドブロック１４のブロック部１４ａには、ブロック部１４ａのスライド移動をアシストするためのスライドアシスト部材１６が接続される。スライドアシスト部材１６は２つの圧縮バネを含んでいる。この圧縮バネに反発力を蓄積することで、蓄積した反発力によりスライドブロック１４のブロック部１４ａをスライドガイド１２の前端部又は後端部に付勢する。ここで、前とは第２の筐体２０がスライドする方向（矢印Ａ方向）の手前側のことであり、後とはスライド方向側のことである。
【００２６】
スライドブロック１４のガイド部１４ｃには、第２のスライドガイド機構が形成されている。第２のスライドガイド機構は、ガイド部１４ｃと、ガイド部１４ｃに形成された溝にスライド可能に係合する回転軸３０を有する。ガイド部１４ｃに形成された溝は、スライドブロックの延在方向、すなわちスライド方向（矢印Ａ方向）に延在する。したがって、ガイド部１４ｃに形成された溝に係合した回転軸３０は、スライド方向（矢印Ａ方向）にスライド可能である。
【００２７】
回転軸３０の軸部３０ａは第２の筐体２０に形成された軸孔（図示せず）に挿入されており、第２の筐体２０は回転軸３０の軸部３０ａを中心にして回動可能である。また、回転軸３０の近傍には、第２の筐体２０をスライド方向（矢印Ａ方向）とは反対の方向に付勢するバネ３２が設けられる。バネ３２の一端は第２の筐体２０の軸孔の近傍に固定され、他端はスライドブロック１４のアーム部１４ｂに固定される。第２の筐体２０がスライドして回転軸３０がガイド部１４ｃの溝に沿ってスライド方向（矢印Ａ方向）に移動すると、バネ３２は引っ張られる。したがって、第２の筐体２０が矢印Ａ方向にスライドすると、第２の筐体２０はバネ３２が戻ろうとする力によりスライド方向とは反対の方向、すなわち、第１の筐体１０に向かう方向に付勢される。
【００２８】
第２の筐体２０が回転軸３０の軸部３０ａを中心として回動することで、第２の筐体２０は第１の筐体１０に対して傾斜することができる。この構造が回動機構に相当する。なお、バネ３２が第２の筐体２０を引っ張る方向は、スライド方向に対して下方に傾いている。このため、バネ３２の引っ張り力は第２の筐体２０の側面２０ｂを下方に回動させる力を含んでいる。
【００２９】
次に、第２の筐体２０をスライドさせて使用状態にする際の動作について説明する。
【００３０】
第２の筐体２０が第１の筐体１０に重なっているとき、すなわち図５及び図６に示す状態のときには、スライドブロック１４のブロック部１４ａは、スライドガイド１２の前端部に位置し、スライドアシスト部材１６の圧縮バネによりによりスライド方向とは反対の方向に付勢されている。このときの第２の筐体２０の位置、すなわち図５及び図６に示された位置を第２の筐体の第１の位置とする。第２の筐体は図５及び図６に示す位置に付勢され、スライド方向（矢印Ａ方向）には容易に動かないようになっている。すなわち、第２の筐体２０は図５及び図６に示す位置を維持するように付勢されている。
【００３１】
この状態で、スライドブロック１４のガイド部１４ｃとアーム部１４ｂの一部、及びバネ３２の一部は、第１の筐体１０に形成された開口と第２の筐体２０に形成された開口を通り、第２の筐体２０に入っている。
【００３２】
スライドアシスト部材１６の付勢力に抗して第２の筐体に対してスライド方向（矢印Ａ方向）に力を加えると、スライドブロック１４のブロック部１４ａがスライドガイド１２に沿って移動し、第２の筐体２０が第１の筐体１０に平行にスライドする。そのまま力を加えていくと、スライドアシスト部材１６が支点１６ａを中心に回動して支点１６ａと反対側のブロック部１４ａに接続された端部との距離が小さくなっていく。したがって、スライドアシスト部材１６の圧縮バネが圧縮され、反発力が蓄えられる。
【００３３】
スライドアシスト部材１６の支点１６ａとブロック部１４ａに接続された端部とをむすぶ線がスライド方向に対して垂直となる位置を過ぎると、今度は、スライドアシスト部材１６の圧縮バネに蓄えられた反発力はブロック部１４ａをスライド方向に押す力となる。したがって、ブロック１４ａはスライド方向に付勢され、第２の筐体２０はスライド方向に自動的にスライドしていくようになる。
【００３４】
ブロック部１４ａがスライドガイド１２の後端部までスライドすると、スライドガイド機構は図７及び図８に示す状態となる。この状態では、スライドブロック１４のアーム部１４ｂとガイド部１４ｃは第１の筐体１０の側面から延出した状態となる。なお、ガイド部１４ｃは第２の筐体２０の下面に形成された溝の中に収容された状態で、回転軸３０の軸部３０ａが第２の筐体２０の軸孔に挿入されている。
【００３５】
スライドアシスト部材１６の付勢力により、第２の筐体２０は図７及び図８に示す位置に自動的に配置される。このときの第２の筐体２０の位置、すなわち図７及び図８に示す位置を第２の位置とする。この位置から第２の筐体２０に力を加え、第２の筐体２０をさらにスライドさせる。第２の筐体２０に固定された回転軸３０がガイド部１４ｃの溝に沿って案内されて回転軸３０がスライドすることにより、第２の筐体２０がスライドすることができる。このとき、第２の筐体２０はバネ３２を引っ張りながらスライドするので、バネ３２にはスライド方向とは反対方向に引っ張る力が蓄積される。
【００３６】
回転軸３０がスライド方向にスライドしてガイド部１４ｃの溝の後端部に位置するようになると、第２の筐体２０の側面２０ｂが第１の筐体１０の側面１０ｂを越えて第２の筐体２０全体が第１の筐体１０の上面に重ならなくなる。このときの第２の筐体２０の位置、すなわち図９及び図１０に示す位置を第２の筐体の第３の位置とする。これにより、図９及び図１０に示すように、第２の筐体２０の全体は第１の筐体１０の外周から外に出た状態となる。この状態では、第２の筐体２０は回転軸３０の軸部３０ａにのみ支持されて回動可能である。また、第２の筐体２０はバネ３２により第１の筐体１０に向かう方向に引っ張られており、且つバネ３２の引っ張り方向はスライド方向に対して下向きに傾斜している。このため、バネ３２の引っ張り力の分力は、第２の筐体２０の側面２０ｂ側を下向き移動させる力となる。これにより、第２の筐体２０は回転軸３０の軸部３０ａを中心に回動し、側面２０ｂ側が図９の矢印Ｂの方向に移動（下降）し、側面２０ｂの反対側が図９の矢印Ｃの方向に移動（上昇）する。
【００３７】
第２の筐体２０の下方には、第１の筐体１０の内部から延出したスライドブロック１４のアーム部１４ｂが存在する。アーム部１４ｂはスライド方向（すなわち、第１の筐体１０の上面に平行な方向）に対して所定の角度で傾いている。第２の筐体２０が回転軸３０の軸部３０ａを中心に上述のよう回動すると、第２の筐体２０の下面に形成された溝部２０ｃにアーム部１４ｂが入り込んで、第２の筐体２０の回動は止まる。この状態において、図１１及び図１２に示すように、第２の筐体２０の上面と側面２０ｂとの間の縁部の高さは、第１の筐体１０の上面と側面１０ａとの間の縁部の高さと同じになる。すなわち、第２の筐体２０が傾斜したときに、第１の筐体１０の上面と第２の筐体２０の上面との間に段差がなくなる。
【００３８】
第２の筐体２０が図１１及び図１２に示すように傾斜している状態では、第２の筐体２０はバネ３２により第１の筐体１０に向かう方向に付勢されており、第２の筐体２０の側面２０ｂが第１の筐体の側面１０ｂに当接して押し付けられている。したがって、第２の筐体はこの位置に固定される。
【００３９】
以上の動作で第２の筐体２０の上面の第２の表示部２０ａと第１の筐体１０の上面の第１の表示部１０ａが露出した状態となり、携帯情報機器１を操作できる状態となる。
【００４０】
第２の筐体２０を図７及び図８に示す状態に戻すには、傾斜して下降している第２の筐体２０の側面２０ｂ側を下から押し上げて傾斜を戻すことで、第２の筐体２０を第１の筐体１０の上面に対して平行にする。これにより、第２の筐体２０はバネ３２により引っ張られて、自動的に矢印Ａ方向と反対方向にスライドし、図７及び図８に示す状態に戻る。
【００４１】
図７及び図８に示す状態に戻ったら、第２の筐体２０に矢印Ａ方向と反対方向に力を加えて図５及び図６に示す状態に戻せばよい。このとき、スライドアシスト部材１６の作用により、第２の筐体２０はある程度スライドした時点から図５及び図６に示す位置になるように付勢されることとなり、自動的に元の位置に戻る。
【００４２】
以上のように、本明細書は以下の事項を開示する。
（付記１）
第１の面に操作部を有する第１の筐体と、
表示部を有する第２の筐体と、
前記第２の筐体の移動を案内するガイド機構と
を有し、
前記ガイド機構は、
前記第２の筐体を、前記第１の筐体の第１の面に重なる第１の位置から、前記第１の筐体の第１の面に重ならない第３の位置まで、前記第１の筐体の第１の面に平行に移動させてから、前記第３の位置で前記第２の筐体を傾斜させる電子機器。
（付記２）
付記１記載の電子機器であって、
前記ガイド機構は、
前記第２の筐体を前記第１の位置と前記第３の位置との間の第２の位置まで前記第１の筐体に対して平行に移動するように案内する第１のガイド機構と、
前記第２の筐体を前記第２の位置から前記第３の位置まで前記第１の筐体に対して平行に移動するよう案内し且つ前記第３の位置で前記第２の筐体を傾斜させる第２のガイド機構と
を含む電子機器。
（付記３）
付記２記載の電子機器であって、
前記第１のガイド機構は、
前記第１の筐体内に設けられた一対のレール部材と、
前記レール部材上をスライドする一対のスライドブロックと
を含む電子機器。
（付記４）
付記３記載の電子機器であって、
前記第２のガイド機構は、前記スライドブロックに設けられる電子機器。
（付記５）
付記４記載の電子機器であって、
前記第２のガイド機構は、前記第２の筐体を回動可能に支持する回動機構を有する電子機器。
（付記６）
付記５記載の電子機器であって、
前記回動機構は、前記第２の筐体を回動可能に支持する軸部を有し、該軸部は前記スライドブロックにスライド可能に設けられる電子機器。
（付記７）
付記６記載の電子機器であって、
前記第２の筐体が回動したときに、前記第２の筐体が前記スライドブロックの一部に当接することで、前記第２の筐体の傾斜角度が固定される電子機器。
（付記８）
付記７記載の電子機器であって、
前記第２の筐体が前記スライドブロックに当接して傾斜した状態で、前記第２の筐体の縁部の高さは前記第１の筐体の縁部の高さに等しくなる電子機器。
（付記９）
付記８記載の電子機器であって、
前記回動機構は、前記第２の筐体を前記第１の筐体に向けて付勢するバネを有する電子機器。
（付記１０）
付記２記載の電子機器であって、
前記第１のガイド機構は、前記第１の筐体を前記第１の位置と前記第２の位置とのいずれか一方に付勢するスライドアシスト部材を有する電子機器。
【符号の説明】
【００４３】
１  携帯情報機器
１０  第１の筐体
１０ａ  第１の表示部
１０ｂ  側面
１２  スライドガイド
１４  スライドブロック
１４ａ  ブロック部
１４ｂ  アーム部
１４ｃ  ガイド部
１６  スライドアシスト部材
１６ａ  支点
２０  第２の筐体
２０ａ  第２の表示部
２０ｂ  側面
３０  回転軸
３０ａ  軸部
３２  バネ
【図１】
0005874312.tif 000002
【図２】
0005874312.tif 000003
【図３】
0005874312.tif 000004
【図４】
0005874312.tif 000005
【図５】
0005874312.tif 000006
【図６】
0005874312.tif 000007
【図７】
0005874312.tif 000008
【図８】
0005874312.tif 000009
【図９】
0005874312.tif 000010
【図１０】
0005874312.tif 000011
【図１１】
0005874312.tif 000012
【図１２】
0005874312.tif 000013